(57)【要約】【課題】スピン注入磁区移動のメカニズムを使用した、受信コイルを有するアンテナを提供することにある。【解決手段】閉じたリング形状の磁心を有するアンテナにおいて、該磁心は、受信コイルが形成される受信コイル形成部と、該受信コイル形成部に接続し、スピン注入磁区移動部を有する非受信コイル形成部から構成され、また、共振コンデンサが該受信コイルに直列に接続して、該受信コイルとＬＣ共振回路を構成していることを特徴とする。【選択図】        図１
2014165740.tif 000002
【特許請求の範囲】
【請求項１】
閉じたリング形状の磁心を有するアンテナにおいて、該磁心は、受信コイルが形成される受信コイル形成部と、該受信コイル形成部に接続し、スピン注入磁区移動部を有する非受信コイル形成部から構成され、また、共振コンデンサが該受信コイルに直列に接続して、該受信コイルとＬＣ共振回路を構成していることを特徴とするアンテナ。
【請求項２】
電波の受信時には、前記スピン注入磁区移動部の幅方向にスピン注入電流を印加し、その後、前記共振回路の共振時には、該スピン注入電流を遮断することを特徴とする請求項１に記載のアンテナ。
【請求項３】
前記スピン注入電流の印加によって前記スピン注入磁区移動部の磁化はその幅方向もしくは、厚み方向を向き、また、該スピン注入電流の遮断によって消失し、可逆的であることを特徴とする請求項２に記載のアンテナ。
【請求項４】
前記スピン注入磁区移動部は、絶縁層を介して伝導性軟磁性材を積層することによって作製されていることを特徴とする請求項１に記載のアンテナ。
【発明の詳細な説明】
【技術分野】
【０００１】
本発明は、スピン注入磁区移動のメカニズムを使用した、受信コイルを有するアンテナに関する。
【背景技術】
【０００２】
まず、従来のアンテナを特許文献１に従って説明する。図６に従来のアンテナの平面構成図を示す。アンテナ６は閉じたリング状の磁心６１からなり、該磁心６１はマグネットワイヤーを巻回すことによって電波を受信するための受信コイル６４と、受信時にバイアス磁界を発生するバイアス磁界発生コイル６５を形成した受信コイル形成部６２と、該受信コイル形成部６２に比べ十分断面積が小さい非受信コイル形成部６３からなっている。
【０００３】
以下、従来のアンテナ６を用いた電波受信方法を図７に示す従来の電波受信方法説明図を使って説明する。
【０００４】
図７（ａ）により、前記バイアス磁界発生コイル６５にバイアス磁界発生電流を供給すると、非受信コイル形成部６３の前記受信コイル形成部６２と重なりのない部分６３ａはその長手方向７３に磁気飽和し、その交流透磁率は前記受信コイル形成部６２のそれに較べ十分小さくなることから、アンテナ６に到来した電波７１は、主に電波７２として前記受信コイル形成部６２を通過し、前記受信コイル６４の両端間には誘起起電力が発生する。
【０００５】
その直後、前記バイアス磁界発生電流を減衰振動させながら止めると、図（ｂ）に示すうように、前記受信コイル形成部と重なりのない部分６３ａの磁気状態は、特許文献１の図６に示す、電波受信におけるＢ−Ｈカーブ上の動作図の原点付近になって、前記受信コイル６４に発生する、前記電波７２の周波数に共振した共振電流によって生じる磁束７４は磁心６１をその外部に漏れることなく一周することから、電波７１は該受信コイル６４の検出電圧として高感度に受信できる。
【０００６】
【特許文献１】特開２００６−１０５４２
【非特許文献１】スピントロニクス理論の基礎  ｐ．１０−１２，ｐ．２９−３７，ｐ．１７５−１８４  多々良  源  著
【非特許文献２】スピントロニクス  ｐ．１７９  宮崎照宣  著
【発明の開示】
【発明が解決しようとする課題】
【０００７】
しかしながら、電波７１の受信時において、アンテナ６に到来した電波７１を主に電波７２として前記受信コイル形成部６２を通過させ、受信コイル６４に誘起起電力を発生させるために、バイアス磁界を印加し、前記非受信コイル形成部６３の前記受信コイル形成部６２と重なりのない部分６３ａをその長手方向７３に磁気飽和させたため、電波７１を該受信コイル６４の検出電圧として検出するには、その都度、前記バイアス磁界発生電流を減衰振動させながら止めて、前記受信コイル形成部６２と重なりのない部分６３ａの磁気状態を、特許文献１の図６に示す、電波受信におけるＢ−Ｈカーブ上の動作図の原点付近にする磁気的初期化が必要であった。
【課題を解決するための手段】
【０００８】
閉じたリング形状の磁心を有するアンテナにおいて、該磁心は、受信コイルが形成される受信コイル形成部と、該受信コイル形成部に接続し、スピン注入磁区移動部を有する非受信コイル形成部から構成され、また、共振コンデンサが該受信コイルに直列に接続して、該受信コイルとＬＣ共振回路を構成している。
【０００９】
電波の受信時には、前記スピン注入磁区移動部の幅方向にスピン注入電流を印加し、その後、前記共振回路の共振時には、該スピン注入電流を遮断する。
【００１０】
前記スピン注入電流の印加によって前記スピン注入磁区移動部の磁化はその幅方向もしくは、厚み方向を向き、また、該スピン注入電流の遮断によって消失し、可逆的である。
【００１１】
前記スピン注入磁区移動部は、絶縁層を介して伝導性軟磁性材を積層することによって作製されている。
【発明の効果】
【００１２】
電波受信時において、従来のアンテナ６より磁気的初期化の容易なアンテナを提供できる。
【発明を実施するための最良の形態】
【００１３】
以下、本発明の実施の形態を図面に基づいて詳述する。
【実施例１】
【００１４】
図１に本発明のアンテナの平面構成図を示す。アンテナ１は閉じたリング状の磁心１１からなり、該磁心１１はマグネットワイヤーを巻回すことによって電波を受信するための受信コイル１４を形成した、絶縁体であるＮｉ−Ｚｎフェライトからなる受信コイル形成部１２と、該受信コイル形成部１２に接続し、該受信コイル形成部１２に比べ十分断面積が小さい、渦電流損失を低減するために絶縁膜を介して積層したケイ素鋼板からなる非受信コイル形成部１３からなり、また、該非受信コイル形成部１３は、前記受信コイル形成部１２と重なりのない、スピンを注入するためのスピン注入磁区移動部１３ａを有し、該スピン注入磁区移動部１３ａはスピン注入磁区移動用電流供給部１５の２個のスピン注入電流供給電極１５ａと１５ｂによって挟まれている。
【００１５】
まず、図３に示す、本発明の受信手段のブロック図を説明する。該ブロック図３は、受信コイル３１ａと共振コンデンサ３１ｂから成るＬＣ共振回路３１と、基準信号発生手段３２ａと該基準信号発生手段３２ａの出力する基準信号３２ａ１に基づき電圧検出パルス３２ｂ１を出力する受信用パルス生成手段３２ｂと該電圧検出パルス３２ｂ１に基づき検出電圧３２ｃ１を出力する電圧検出手段３２ｃと該検出電圧３２ｃ１に基づきコードを復調しコード３２ｄ１を出力するコード復調手段３２ｄから成る受信回路３２と、前記スピン注入磁区移動部１５のスピン注入電流供給電極１５ａから１５ｂへスピン注入電流を供給する、電源３３ａとスピン注入電流制御抵抗３３ｂと該スピン注入電流制御抵抗３３ｂに接続し、前記受信用パルス生成手段３２ｂの出力するスピン注入磁区移動用パルス３２ｂ２に基づき、スピン注入磁区移動用電流３３ｃ１を前記スピン注入電流供給電極１５ａから１５ｂへ供給するスイッチ３３ｃとグランド３３ｄから成るスピン注入磁区移動用電流供給回路３３から構成されている。
【００１６】
つぎに、図２に示す、本発明のアンテナを用いた電波受信のフローチャートを説明する。図（ａ）は共振用コンデンサ両端間電圧２０の時間変化、図（ｂ）はスピン注入磁区移動用パルス２１の時間変化、図（ｃ）はスピン注入磁区移動用電流２２の時間変化、図（ｄ）は電圧検出パルス２３の時間変化、図（ｅ）は検出電圧２４の時間変化である。
【００１７】
以下、本発明のアンテナ１を用いた電波受信方法を、図２、図３と図４に示す本発明の第１の電波受信方法説明図を使って説明する。
【００１８】
図４（ａ）に示すように、電波４１がアンテナ１に到来し、図２（ｂ）に示すスピン注入磁区移動用パルス２１（３２ｂ２）が受信用パルス生成手段３２ｂからスイッチ３３ｃに出力されると、スピン注入電流供給電極１５ａから１５ｂへスピン注入磁区移動用電流２２が供給される。
【００１９】
すると、前記スピン注入磁区移動部１３ａの磁化４４は、紙面内で該非受信コイル部１３の長手方向４３ａに対して直角方向４３ｂに可逆磁化範囲内で磁化し、前記スピン注入磁区移動部１３ａの交流透磁率が前記受信コイル形成部１２のそれに較べ小さくなって、電波４１は、主に、受信コイル形成部１２の電波４２となってアンテナ１を通過し、前記スピン注入磁区移動用電流２２が止まった直後に、前記スピン注入磁区移動部１３ａの磁化４４は消失し、前記受信コイル３１ａに発生する、前記電波４１の周波数に共振した共振電流によって生じる磁束４５は磁心１１を図４（ｂ）に示すように一周し、受信用パルス生成手段３２ｂから電圧検出パルス２３（３２ｂ１）が電圧検出手段３２ｃへ入力し、該電圧検出手段３２ｃは、共振用コンデンサ両端間電圧２０を検出電圧２４として検出し、該検出電圧２４をコード復調手段３２ｄに出力し、コード復調手段３２ｄはコード３２ｄ１を出力する。
【００２０】
なお、磁化４４は前記ケイ素鋼板の可逆磁化範囲内であるので、前記スピン注入磁区移動用電流２２が止まった直後に消失し、アンテナ１の磁気的初期化が速やかに達成される。
【実施例２】
【００２１】
図５は本発明の第２の電波受信方法説明図である。本発明の第１の実施例と異なる点は、スピン注入磁区移動用電流２２（３２ｂ２）によって非受信コイル部１３の、前記スピン注入磁区移動部１３ａの磁化５１は紙面垂直に紙面の表から裏に向かって磁化した点であり、それ以外は本発明の第１の実施例と同じであるので、説明を省略する。
【産業上の利用可能性】
【００２２】
以上の詳細な説明により示されたように、電波受信時において、従来のアンテナより磁気的初期化の容易なアンテナを提供できる。
【図面の簡単な説明】
【００２３】
【図１】本発明のアンテナの平面構成図である。
【図２】本発明のアンテナを用いた電波受信のフローチャートである。
【図３】本発明の受信手段のブロック図である。
【図４】本発明の第１の電波受信方法説明図である。
【図５】本発明の第２の電波受信方法説明図である。
【図６】従来のアンテナの平面構成図である。
【図７】従来の電波受信方法説明図である。
【符号の説明】
【００２４】
１  ６  アンテナ
１１  ６１  磁心
１２  ６２  受信コイル形成部
１３  ６３  非受信コイル形成部
１３ａ  スピン注入磁区移動部
１４  ６４  受信コイル
１５  スピン注入磁区移動用電流供給部
１５ａ  １５ｂ  スピン注入電流供給電極
２０  共振用コンデンサ両端間電圧
２１  スピン注入磁区移動用パルス
２２  スピン注入磁区移動用電流
２３  電圧検出パルス
２４  検出電圧
【図１】
2014165740.tif 000003
【図２】
2014165740.tif 000004
【図３】
2014165740.tif 000005
【図４】
2014165740.tif 000006
【図５】
2014165740.tif 000007
【図６】
2014165740.tif 000008
【図７】
2014165740.tif 000009